(57)【要約】【課題】使用者が生体センサの装着の違和感を受けず、生体情報の検出が容易でありかつ生体センサの脱落を抑制すること。【解決手段】本発明は、耳甲介艇に挿入され保持される保持部４０と、保持部４０に設けられ耳甲介艇から生体情報を検出する生体情報検出部６０と、を具備する生体センサである。本発明によれば、保持部４０は耳甲介艇内に保持され、生体センサ１０が脱落することを抑制することができる。さらに、生体情報検知部６０が耳甲介艇の生体情報を検出するため、生体情報を容易に検出することができる。【選択図】図４
2009153824.tif 000002
【特許請求の範囲】
【請求項１】
耳甲介艇に挿入され保持される保持部と、
前記保持部に設けられ前記耳甲介艇から生体情報を検出する生体情報検出部と、
を具備することを特徴とする生体センサ。
【請求項２】
保持部を固定する本体部と、
前記本体部に固定され、外耳孔内に挿入され保持される発音部と、を具備することを特徴とする請求項１記載の生体センサ
【請求項３】
前記生体情報検出部は、前記耳甲介艇から脈波を検出することを特徴とする請求項１または２記載の生体サンサ。
【請求項４】
前記生体情報検出部は、前記耳甲介艇から脈波を検出する光電型センサであることを特徴とする請求項１または２記載の生体センサ。
【発明の詳細な説明】
【技術分野】
【０００１】
本発明は、生体センサに関し、特に、耳甲介艇から生体情報を検出する生体センサに関する。
【背景技術】
【０００２】
脈拍等の生体に関する情報である生体情報を検出する生体センサは、使用者の生体情報を取得するために用いられている。生体情報を取得する部位として耳介を用いる生体センサが用いられている。特許文献１においては、耳介内の耳甲介腔から生体情報を取得している。
【特許文献１】特開平１１−１７８８０３号公報
【発明の開示】
【発明が解決しようとする課題】
【０００３】
特許文献１においては、イヤホンに生体センサが設けられており、音楽を聴取しつつ、生体情報を取得することができる。これにより、生体センサを装着しているという違和感なく生体情報を検出することができる。しかしながら、耳甲介腔から脈拍等の生体情報を検出することは容易ではない。また、生体センサが脱落しやすいという課題がある。
【０００４】
本発明は、上記課題に鑑みなされたものであり、使用者が生体センサの装着の違和感を受けず、生体情報の検出が容易でありかつ生体センサの脱落を抑制することを目的とする。
【課題を解決するための手段】
【０００５】
本発明は、耳甲介艇に挿入され保持される保持部と、前記保持部に設けられ前記耳甲介艇から生体情報を検出する生体情報検出部と、を具備する生体センサである。本発明によれば、保持部は耳甲介艇内に保持され、生体センサが脱落することを抑制することができる。さらに、生体情報検知部が耳甲介艇の生体情報を検出するため、生体情報を容易に検出することができる。
【０００６】
上記構成において、保持部を固定する本体部と、前記本体部に固定され、外耳孔内に挿入され保持される発音部と、を具備する構成とすることができ。この構成によれば、保持部に加え発音部でも生体センサを保持することができる。よって、より生体センサの脱落を抑制することができる。また、使用者は発音部より音楽等を聴取できるため、使用者が違和感を受けることなく生体センサが生体情報を取得することができる。
【０００７】
上記構成において、前記生体情報検出部は、前記耳甲介艇から脈波を検出する構成とすることができる。また、上記構成において、前記生体情報検出部は、前記耳甲介艇から脈波を検出する光電センサである構成とすることができる。
【発明の効果】
【０００８】
本発明によれば、保持部は耳甲介艇内に保持され、生体センサが脱落することを抑制することができる。さらに、生体情報検知部が耳甲介艇の生体情報を検出するため、生体情報を容易に検出することができる。
【発明を実施するための最良の形態】
【０００９】
以下、図面を参照に本発明の実施例について説明する。
【実施例１】
【００１０】
図１は実施例１に係る生体センサを有する生体センサシステムのブロック図である。生体センサ１０は後述するように生体情報検出部６０および発音部３０を有している。生体情報検出部６０が検出した生体情報（例えば脈波）は、演算部１１に出力される。演算部１１は、例えばＣＰＵであり、生体情報を演算し結果を表示部１２に出力する。表示部１２は例えば液晶表示部であり、演算結果を表示する。演算結果は、例えば脈波から演算した脈拍数である。記憶装置１３は、例えば不揮発性メモリであり、生体情報または演算結果等の生体情報に関する情報を記憶する。演算部１１は、演算結果をさらに判断部１４に出力する。
【００１１】
判断部１４は、演算結果に基づき使用者の生体状況（例えばリラックス状態や緊張状態）について判断する。判断結果に基づきオーディオアンプ１５および音楽プレーヤ等１６を制御する。音楽プレーヤ等１６は、音楽プレーヤ以外に、ラジオ受信機、携帯ゲームまたは携帯電話等である。オーディオアンプ１５は音楽プレーヤ等１６から出力された音声情報を増幅し発音部３０に出力する。リモコン１７はオーディオアンプ１５のボリュームおよび音楽プレーヤ等１６の操作（例えば選曲）を行う。例えば、判断部１４は、使用者の脈拍数が落ち着いている場合、使用者がリラックス状態にあると判断し、音楽プレーヤ等１６にゆったりした曲を選択させ、オーディオアンプ１５にボリュームを下げさせる。
【００１２】
図２は実施例１に係る生体センサの表側の図、図３は裏側の図、図４は生体センサの側面図、図５は生体センサを耳介に装着した状態の外観図である。図２から図５を参照に、生体センサ１０は、本体部２０、スピーカ等の発音部３０および脱落を抑制する保持部４０を有している。
【００１３】
本体部２０の中央部には発音部３０が取り付けられている。本体部２０の一端には突起状の保持部４０が取り付けられている。本体部２０の他端からはケーブル５２が延出されている。ケーブル５２は、演算部１１を介し記憶装置１３およびオーディオアンプ１５を介し音楽プレーヤ等１６に接続されている。
【００１４】
保持部４０の裏側には、耳甲介艇の生体情報を検出するための生体情報検出部６０が設けられている。生体情報検出部６０は例えば反射型の光電センサである。反射型光電センサは、赤外線出射部と赤外線検出部とを有している。赤外線出射部が出射した赤外線のうち耳甲介艇内で反射した赤外線を赤外線検出部が検出する。これにより、脈拍等を検出するための血液の流れ（脈波）を検出することができる。なお、生体情報検出部６０は、例えば静電容量を検出することにより生体情報を検出する静電容量式センサでもよい。
【００１５】
図５を参照に、生体センサ１０を装着する際は、耳甲介艇７２に保持部４０を挿入する。保持部４０の幅は耳甲介艇７２の上下の幅よりやや大きくことが好ましい。これにより、保持部４０は耳甲介艇７２内に保持され、生体センサ１０が脱落することを抑制することができる。さらに、生体情報検知部６０が保持部４０の人体側に設けられ、耳甲介艇７２の生体情報を検出する。これにより、生体情報を容易に検出することができる。
【００１６】
以下に、耳甲介艇から生体情報のうち脈波が容易に検出できることを示す実験について説明する。図６に示す耳介１００のうち耳甲介艇の顔側の部位７１、耳甲介艇の中程の部位７２、耳甲介腔の下側の部位７３、耳甲介腔の後側の部位７４、対耳輪脚の顔側の部位７５、対耳輪脚の中程の部位７６、上側の耳介裏側の部位７７、耳道付近の耳介裏側の部位７８、および耳珠の裏側の部位７９について、脈波の検出のしやすさを調査した。反射式光電センサ（シャープ株式会社製ＧＰ２Ｓ２４）を各部位に当て、波形をオシロスコープで観察し、良好な脈波を容易に得られるかを調べた。
【００１７】
表１は、調査結果を示す表である。被検者２名の各部位に対し、良好な波形が簡単に得られるかを示している。Ａは良好な波形が容易に得られたことを示し、Ｂは良好な波形が得られたことを示し、Ｃは良好な波形が得ることが難しかったことを示している。表１を参照に、耳甲介艇の中程の部位７２においては、良好な波形が容易に得られている。以上より耳甲介艇から生体情報を検出することが有効であることがわかった。
【表１】
2009153824.tif 000003
【００１８】
実施例１によれば、生体情報検知部６０が保持部４０の人体側に設けられ、耳甲介艇の生体情報を検出する。これにより、生体情報を容易に検出することができる。
【００１９】
さらに、生体センサ１０は、保持部４０を固定する本体部２０を有している。発音部３０は、本体部２０に固定され、外耳孔内に挿入され保持されることが好ましい。これにより、保持部４０に加え発音部３０でも生体センサ１０を保持することができる。よって、より生体センサ１０の脱落を抑制することができる。また、使用者は発音部３０より音楽等を聴取できるため、使用者が違和感を受けることなく生体センサ１０が生体情報を取得することができる。
【００２０】
実施例１においては、生体情報検出部６０は、耳介から生体情報として脈波を検出し、脈拍数を演算する場合について説明した。生体情報は、脈波以外の生体情報であってもよい。例えば、心電、脳波または体温を検出することもできる。さらに、生体情報検出部６０として、脈波を検出するセンサ６１、６２以外に体温情報を検出する体温検知部を設けてもよい。
【００２１】
以上、本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００２２】
【図１】図１は実施例１に係る生体センサを有する生体センサシステムのブロック図である。
【図２】図２は実施例１に係る生体センサの表側図である。
【図３】図３は実施例１に係る生体センサの裏側図である。
【図４】図４は実施例１に係る生体センサの側面図である。
【図５】図５は実施例１に係る生体センサを耳介に装着した図である。
【図６】図６は実験を行った部位を示す図である。
【符号の説明】
【００２３】
１０            生体センサ
２０            本体部
３０            発音部
４０            保持部
６０            生体情報検出部
【図１】
2009153824.tif 000004
【図２】
2009153824.tif 000005
【図３】
2009153824.tif 000006
【図４】
2009153824.tif 000007
【図５】
2009153824.tif 000008
【図６】
2009153824.tif 000009